(57)【要約】【課題】  放電灯の種類によらず、確実に放電灯の寿命末期や不点灯等の異常状態を検出し、インバータ回路の発振動作を停止させることができる放電灯点灯装置を提供する。【解決手段】  直流電源１の直流を高周波電流に変換するインバータ回路からの高周波電流により放電灯７，１１を点灯する放電灯負荷回路Ｌ１００，Ｌ１１０と、インバータ回路の出力に接続されたカップリングコンデンサ５とチョークコイル６、１０の直列回路がこの順に放電灯７、１１を介して上記直流電源１の負極に接続され、カップリングコンデンサ５とチョークコイル６，１０の接続点と直流電源１の負極間の電圧を平均化して検出する±電圧検出回路Ｄ１００と、この±電圧検出回路の検出電圧が予め定めた正負電圧の範囲から外れているときにインバータ回路の発振を停止させるとともに停止状態を継続させる保持回路Ｈ１００とを備える。【選択図】        図１
2005259607.tif 000002
【特許請求の範囲】
【請求項１】
直流電源と、この直流電源から供給される直流を高周波電流に変換するインバータ回路と、このインバータ回路からの高周波電流により放電灯を点灯する放電灯負荷回路とを備えた放電灯点灯装置において、
上記インバータ回路の出力に接続されたカップリングコンデンサとチョークコイルの直列回路がこの順に放電灯を介して上記直流電源の負極に接続され、上記カップリングコンデンサと上記チョークコイルの接続点と上記直流電源の負極間の電圧を平均化して検出する正負電圧検出回路と、
この正負電圧検出回路の検出電圧が予め定めた正負電圧の範囲から外れているときに上記インバータ回路の発振を停止させるとともに停止状態を継続させる保持回路と、
を備えたことを特徴とする放電灯点灯装置。
【請求項２】
一端が直流電源の正極に他端がカップリングコンデンサとチョークコイルの接続点に接続された抵抗を備えたことを特徴とする請求項１記載の放電灯点灯装置。
【請求項３】
直流電源と、この直流電源から供給される直流を高周波電流に変換するインバータ回路と、このインバータ回路からの高周波電流により放電灯を点灯する放電灯負荷回路とを備えた放電灯点灯装置において、
上記インバータ回路の出力に接続されたカップリングコンデンサとチョークコイルの直列回路が放電灯を介して上記直流電源の負極に接続され、上記放電灯の両端電圧を平均化して検出する正負電圧検出回路と、
この正負電圧検出回路の検出電圧が予め定めた正負電圧の範囲から外れているときに上記インバータ回路の発振を停止させるとともに停止状態を継続させる保持回路と、
を備えたことを特徴とする放電灯点灯装置。
【請求項４】
正負電圧検出回路の負の検出電圧が予め定めた範囲から外れているときに、正の高レベルの電圧を出力する信号変換回路を備え、この信号変換回路の出力が正の高レベル電圧の場合に保持回路はインバータ回路の発振を停止させるとともに停止状態を継続させることを特徴とする請求項１〜３のいずれかに記載の放電灯点灯装置。
【請求項５】
一端が直流電源の負極に接続され、他端が放電灯のフィラメントを介して上記直流電源の負極に接続されたダイオードとコンデンサの直列回路を有し、上記ダイオードとコンデンサの直列回路に電流が流れたときに上記放電灯が装着されたと識別し、少なくても１つの放電灯が装着されているときにインバータ回路の発振動作を可能とし、全ての放電灯が未装着の場合には上記インバータ回路の発振を停止させる放電灯装着検出回路を備えたことを特徴とする請求項１〜４のいずれかに記載の放電灯点灯装置。
【請求項６】
一端が直流電源の負極に接続され、他端が放電灯のフィラメントを介して上記直流電源の負極に接続されたダイオードとコンデンサの直列回路を有し、上記ダイオードとコンデンサの直列回路に電流が流れたときに上記放電灯が装着されたと識別し、少なくても１つの放電灯が装着されているときにインバータ回路の発振動作を可能とし、全ての放電灯が未装着のとき、または、上記放電灯が漏気状態等で異常になったときには上記インバータ回路の発振を停止させる放電灯装着及び漏気検出回路を備えたことを特徴とする請求項１〜４のいずれかに記載の放電灯点灯装置。
【請求項７】
放電灯に流れる高周波電流を予め定められた予熱期間を設定するタイマーを有する予熱タイマ回路と、
正負電圧検出回路及び信号変換回路の出力信号を前記予熱期間中は無効とするスイッチ手段と、
を備えたことを特徴とする請求項１〜６のいずれかに記載の放電灯点灯装置。
【請求項８】
放電灯が未装着のとき、又は、インバータ回路の発振を停止継続している期間は予熱タイマ回路のタイマーをリセットするリセット手段を備えたことを特徴とする請求項７記載の放電灯点灯装置。
【請求項９】
正負電圧検出回路を各放電灯に対応してそれぞれ設け、これらの正負電圧検出回路の正負の検出出力をダイオードを介してワイヤードオア接続して、信号変換回路、または、保持回路に出力するようにしたことを特徴とする請求項４〜８のいずれかに記載の放電灯点灯装置。
【発明の詳細な説明】
【技術分野】
【０００１】
この発明は、インバータ回路からの高周波電力によって放電灯を点灯させる点灯装置の保護回路に係り、特に、定格電流が概略等しく定格電圧が異なる複数の種類の放電灯を点灯でき、保護回路を有する放電灯点灯装置の保護回路に関するものである。
【背景技術】
【０００２】
従来の放電灯点灯装置は、インバータ回路と、コンデンサと、負荷回路とを備える放電灯点灯装置に対して、放電灯の高圧側と回路グランドとの間に放電灯の低圧側のフィラメントをも含めた構成で設けられ、その低圧側のフィラメントの両端電圧をも含めて放電灯の管電圧を検出する管電圧検出部と、放電灯の片側エミレス時に半端放電により生じる各部電圧、電流の非対称成分を検出する非対称成分検出回路と、管電圧検出部の出力と非対称成分検出部の出力とを論理和してインバータ回路の出力を低減ないし停止させるための信号を生成して制御回路に出力する回路とを備えている（例えば特許文献１参照）。
【０００３】
【特許文献１】特開２００２−８３６９８（段落００１２−００４０、図１〜１３）
【発明の開示】
【発明が解決しようとする課題】
【０００４】
特許文献１の解決手段は、フィラメント電圧を検出するフィラメント電圧検出手段と、放電灯の管電圧を検出する管電圧検出手段の出力を合成して放電灯の正常時の値を越え寿命末期の値未満に設定した所定値とを比較判別する第１の検出手段を必要とする。
しかしながら、定格電流がほぼ同じでワット数の異なる複数の放電灯を、同一の放電灯点灯装置で点灯可能とする場合は、上記第１の検出手段を実現する前提条件として、段落００１９に記載されているようにフィラメントの設計を同様にする必要があり、限定された条件が必要である問題があった。
また、上記検出手段１の正常時の値と寿命末期の値の比較判別する場合、適用する放電灯のバラツキや製造メーカ間のバラツキなどを予め明確にする必要があり、回路設計上の大きな負荷である問題があった。
【０００５】
この発明は、従来装置の上記のような問題点を解決するためになされたもので、この発明の第１の目的は、定格電流が概略等しく定格電圧が異なる複数の種類の放電灯を点灯できる点灯装置において、放電灯の種類によらず、確実に放電灯の寿命末期や不点灯等の異常状態を検出し、インバータ回路の発振動作を停止させることができる保護回路を有する放電灯点灯装置を提供することを目的とする。
【０００６】
この発明の第２の目的は、定格電流が概略等しく定格電圧が異なる複数の種類の放電灯を点灯できる点灯装置において、定格電流が別の値で概略同一であり、定格電圧が異なる放電灯の系列に対しても保護回路の回路定数を変更することなく対応できる放電灯点灯装置を提供することを目的とする。
【０００７】
この発明の第３の目的は、定格電流が概略等しく定格電圧が異なる複数の種類の放電灯を点灯できる点灯装置において、少なくても１以上の放電灯が装着されていない場合にはインバータ回路の起動発振を行わず、また、発振起動後も装着されている放電灯が全て抜去された場合にはインバータ回路の発振を停止する放電灯点灯装置を提供することを目的とする。
【０００８】
この発明の第４の目的は、定格電流が概略等しく定格電圧が異なる複数の種類の放電灯を点灯できる点灯装置において、放電灯の寿命末期や不点灯等の異常状態を検出しインバータ回路の停止状態を保持継続している場合に放電灯を抜去後に正常放電灯を再装着すれば点灯装置へ入力電源を遮断することなくインバータ回路の再起動が可能な放電灯点灯装置を提供することを目的とする。
【課題を解決するための手段】
【０００９】
この発明に係る放電灯点灯装置は、直流電源と、この直流電源から供給される直流を高周波電流に変換するインバータ回路と、このインバータ回路からの高周波電流により放電灯を点灯する放電灯負荷回路とを備えた放電灯点灯装置において、上記インバータ回路の出力に接続されたカップリングコンデンサとチョークコイルの直列回路がこの順に放電灯を介して上記直流電源の負極に接続され、上記カップリングコンデンサと上記チョークコイルの接続点と上記直流電源の負極間の電圧を平均化して検出する正負電圧検出回路と、この正負電圧検出回路の検出電圧が予め定めた正負電圧の範囲から外れているときに上記インバータ回路の発振を停止させるとともに停止状態を継続させる保持回路と、を備えたものである。
【発明の効果】
【００１０】
この発明は、上記インバータ回路の出力に接続されたカップリングコンデンサとチョークコイルの直列回路がこの順に放電灯を介して上記直流電源の負極に接続され、上記カップリングコンデンサと上記チョークコイルの接続点と上記直流電源の負極間の電圧を平均化して検出する正負電圧検出回路と、この正負電圧検出回路の検出電圧が予め定めた正負電圧の範囲から外れているときに上記インバータ回路の発振を停止させるとともに停止状態を継続させる保持回路と、を備えたので、放電灯の定格電流が概略等しく、定格電圧（定格電力）の異なる複数の種類の放電灯を同一の点灯装置で点灯した場合でも、放電灯の種類によらず寿命末期等の異常状態を検出し、インバータ回路の動作を安全に停止できる。
そのため、放電灯の種類毎に保持回路の回路定数を最適に選定する必要がなく点灯装置を生産するための部品の種類や在庫管理機種を低減することができる。
【発明を実施するための最良の形態】
【００１１】
実施の形態１．
図１は、この発明の形態１の放電灯点灯装置の構成を示す回路図、図２は上記放電灯点灯装置の動作説明図である。
図１において、直流電源１は例えば、商用電源を整流後コンデンサで平滑して得られる。インバータ回路はＭＯＳＦＥＴ２、３からなるスイッチング素子で構成される。放電灯負荷回路Ｌ１００は、チョークコイル６、放電灯７、放電灯７に並列に接続されたコンデンサ８から構成され、その一端はカップリングコンデンサ５を介してスイッチング素子２と３の接続点に、他端は直流電源１の負極に接続される。
なお、スイッチング素子２及び３のドレイン・ソース間に逆方法に内臓されているダイオードは図示を省略している。
【００１２】
放電灯負荷回路Ｌ１１０は、放電灯負荷回路Ｌ１００と同一の構成で、放電灯負荷回路Ｌ１００に並列に接続されており、チョークコイル１０、放電灯１１、放電灯１１に並列に接続されたコンデンサ１２から構成される。
発振制御回路４は、直流電源１の負極と出力端子Ｄ２間の電圧でスイッチング素子３を、Ｖｓ端子と出力端子Ｄ１間の電圧でスイッチング素子２を交互にＯＮ／ＯＦＦする。
また、Ｓ端子は低電圧レベル（以下、低レベルと呼ぶ）になると発振が停止する。
Ｖｃｃ記号は、図示を省略した回路部から供給される制御回路の駆動電圧を示している。
【００１３】
正負電圧検出回路である±検出回路Ｄ１００は、放電灯負荷回路Ｌ１００、Ｌ１１０の両端電圧の平均値を検出する回路であり、放電灯が正常放電の場合は概略ゼロＶの電圧を、寿命末期時には正又は負の電圧を検出する回路である。
【００１４】
抵抗２１はカップリングコンデンサ５とチョークコイル６の接続点に一端が、他端は抵抗２２を介して直流電源１の負極に接続される。抵抗２２にはコンデンサ２３が並列に接続される。
【００１５】
また、信号変換回路ＣＶ１００は、上記±検出回路Ｄ１００で得られた負の信号が予め定めた範囲から外れた場合に（負の絶対値が大きい場合に）、正の高レベルの出力を、範囲内にある場合は低レベルの信号を出力する変換回路である。
【００１６】
抵抗３９の一端は制御回路駆動電圧Ｖｃｃ（以下Ｖｃｃと呼ぶ）に、他端はＮＰＮトランジスタ４０のコレクタに接続される。ＮＰＮトランジスタ４０のエミッタは直流電源１の負極に、ベースはダイオード４２のカソードに接続される。ダイオード４２のアノードは直流電源１の負極に接続される。抵抗４１は直流電源１の正極とＮＰＮトランジスタ４０のベース間に接続される。
ダイオード４２に並列にコンデンサ４３が接続される。ツェナーダイオード４４のカソードはＮＰＮトランジスタ４０のベースに、そのアノードはダイオード４５のアノードに接続される。ダイオード４５のカソードは、抵抗２１と２２の接続点に接続される。
ダイオード３８のアノードはＮＰＮトランジスタ４０のコレクタに、カソードは後述する保持回路Ｈ１００のＮＰＮトランジスタ３３のベースに接続される。
【００１７】
上記信号変換回路ＣＶ１００の、ツェナーダイオード４４のツェナー電圧を以下の（１）を満足するように選定する。
−Ｖ２３ ＜ Ｖｓ１＝０−（Ｖｚ４４＋ＶＦ４５ ）        （１）
ただし、（１）式の記号は以下を示す
Ｖｚ４４：ツェナーダイオード４４のツェナー電圧
ＶＦ４５：ダイオード４５の順方向電圧 （約０．６Ｖ）
−Ｖ２３：放電灯７、１１の直流電源１のカップリングコンデンサ側のフィラメ                  ントの放電物質が消耗した等の原因でコンデンサ２３に発生する放電                  灯寿命末期時検出電圧
なお、Ｖｓ１はゼロよりは十分低い電圧に選定する。
検出信号が−Ｖ２３が、概略ゼロの場合は、ＮＰＮトランジスタ４０のコレクタは低レベルになる。
検出信号−Ｖ２３が上記（１）式を満足する場合は、トランジスタ４０のコレクタは高レベルになる。
【００１８】
保持回路Ｈ１００は±検出回路Ｄ１００で検出された信号レベルの識別判定を行い、異常の場合には、インバータ回路の発振を停止し、その状態を保持継続する回路である。
【００１９】
保持回路Ｈ１００において、ＮＰＮトランジスタ３３のコレクタはＰＮＰトランジスタ３４のベースに、ＰＮＰトランジスタ３４のコレクタはＮＰＮトランジスタ３３のベースに接続される。ＮＰＮトランジスタ３３のエミッタは直流電源１の負極に、ベースはツェナーダイオード３６のアノードに接続される。ダイオード３７のカソードはツェナーダイオード３６のカソードに、アノードは抵抗２１、２２の接続点に接続される。ＮＰＮトランジスタ３３のベース・エミッタ間に抵抗３５が接続される。ＰＮＰトランジスタ３４のベース、エミッタ間に抵抗３０が接続される。ＰＮＰトランジスタ３４のエミッタから抵抗３０を介してＶｃｃに接続される。ダイオ−ド３１のカソードはＰＮＰトランジスタ３４のエミッタにアノードは発振制御回路４の発振停止端子Ｓに接続される。
【００２０】
保持回路Ｈ１００においてツェナーダイオード３６のツェナー電圧を以下の（２）を満足するように選定する。
０ ＜Ｖｓ２＝ ＶＢＥ３３＋Ｖｚ３６＋ＶＦ３７＜＋Ｖ２３    （２）
ただし、（２）式の記号は以下を示す
Ｖｚ３６ ：ツェナーダイオード３６のツェナー電圧
ＶＢＥ３３：ＮＰＮトランジスタ３３のベース・エミッタ間順方向電圧
（約０．６Ｖ）
ＶＦ３７：ダイオード３７の順方向降下電圧 （約０．６Ｖ）
＋Ｖ２３：放電灯７、１１の直流電源１の負極側のフィラメントの放電物質が消                  耗した等の場合にコンデンサ２３に発生する放電灯寿命末期時検出電                  圧
【００２１】
なお、＋Ｖｓ２はゼロよりは十分大きく選定する。
検出信号が＋Ｖ２３が、概略ゼロの場合は、ＰＮＰトランジスタ３４のエミッタは高レベルになる。
検出信号＋Ｖ２３が上記（２）式を満足する場合には、ＮＰＮトランジスタ３３はＯＮになり、そのコレクタ電流がＶｃｃ、抵抗３０、ＰＮＰトランジスタ３４のエミッタ、同ベースの経路で流れる。
即ち、ＰＮＰトランジスタ３４は、そのベースに電流が流れるのでＯＮになる。
ＰＮＰトランジスタ３４がＯＮになればそのコレクタ電流がＶｃｃ、抵抗３０の経路でＮＰＮトランジスタ３３のベースに流れこむのでＮＰＮトランジスタ３３は＋Ｖ２３の値にかかわらず以降ＯＮを継続する。
ＮＰＮトランジスタ３３及びＰＮＰトランジスタ３４が同時にＯＮするのでＰＮＰトランジスタ３４のエミッタは低レベルになる。
また、検出信号−Ｖ２３が（１）式を満足する場合も同様に、ＰＮＰトランジスタ３４のエミッタは低レベルになり、その状態を継続する。
【００２２】
なお、商用電源から直流電源を得る場合の直流電源１の構成例を図３に示す。
図に示すように、商用電源１ａから出力された交流電源は、ダイオードブリッジ１ｂで全波整流された後、平滑コンデンサ１ｃで平滑化され、直流電源として負荷回路出力されるように構成される。
【００２３】
次に、図１及び２により、この発明の実施の形態１の動作を説明する。
なお、図２において本実施の形態に対応するのは、モード１〜３と、（ａ）〜（ｃ）に示す電圧波形である。      
図２において、時間ｔの経過による放電灯７、１１の状態に対応して、（ａ）はコンデンサ２３の電圧波形、（ｂ）はＮＰＮトランジスタ４０のコレクタ電圧波形、（ｃ）は発振制御回路４のＳ端子電圧波形（ＰＮＰトランジスタ３４のエミッタ電圧波形）を示す。
モード１は放電灯７、１１が正常な場合、モード２は放電灯７のチョークコイル６側のフィラメントの放電物質が消耗した寿命末期状態で、放電灯１１が正常な場合、モード３は放電灯７の直流電源１の負極側のフィラメントの放電物質が消耗した場合の寿命末期状態で、放電灯１１が正常な場合を示す。
【００２４】
図１において、直流電源１投入されると、発振制御回路４によりスイッチング素子２及び３は交互に高周波で駆動され放電灯は点灯に至る。
【００２５】
ここで、まず、図２に示す放電灯７及び１１のいずれも正常状態であるモード１の場合について説明する。
モード１の動作期間は図の時間ｔ１からｔ２の期間である。
カップリングコンデンサ５の静電容量を放電灯点灯回路に流れる電流による電圧降下が十分小さくなるようにその容量値を大きく選定すれば、カップリングコンデンサの電圧値は直流電源１の電圧の１／２になる。
従って、抵抗２１とカップリングコンデンサの接続点ａの電位は（３）、（４）で示される。
スイッチング素子２がＯＮ、 ３がＯＦＦの場合は、 
Ｖａ2-1  ＝ Ｖ１−Ｖｃ５-1 ＝Ｖ１−Ｖ１／２＝ Ｖ１／２        （３）
ただし、上記（３）式の記号は以下を示す。
Ｖａ２-1：スイッチング素子２がＯＮしている場合のａ点の電圧
Ｖ１：直流電源１の電圧
Ｖc5-1：カップリングコンデンサ５の両端電圧
（スイッチング素子２、３の接続点側が正）
【００２６】
スイッチング素子２がＯＦＦ、 ３がＯＮの場合は、
Ｖａ3-1＝ −Ｖｃ５ -1＝−Ｖ１／２                             （４）
スイッチング素子２、３のＯＮ期間が等しいとすれば、ａ点の平均電圧は以下（５）式となる。
Ｖａａｖｅ-1 ＝（３）＋（４） ＝ ０                            （５）
ただし、上記（５）式の記号は以下を示す。
Ｖａａｖｅ-1： ａ点の平均電圧
（５）式に示すように、モード１の状態ではａ点の平均電圧はゼロである。
±検出回路Ｄ１００はａ点の電圧を抵抗２１と２２で分圧し、コンデンサ２３で積分しているので、回路定数を適当に設定すれば、コンデンサ２３の電圧は概略ゼロとなる。
即ち、モード１では、±検出回路Ｄ１００の出力は概略ゼロである。
【００２７】
モード１では、信号変換回路ＣＶ１００のＮＰＮトランジスタ４０のコレクタも低レベルとなりＮＰＮトランジスタ３３のベ−スも低レベルなので発振制御回路４の発振停止端子Ｓは高レベルとなり、発振制御回路４の発振動作は継続し、放電灯７及び１１は正常放電を継続する。
【００２８】
以上の説明で明らかなようにモード１の動作状態では、放電灯の種類によらず放電灯が正常放電しておればコンデンサ２３に概略ゼロの電圧が得られ、正常放電状態である事を識別してインバータ回路の発振を継続できる。
【００２９】
次に、図２において、放電灯７のチョークコイル６側のフィラメントの放電物質が消耗状態、放電灯１１が正常であるモード２の動作について説明する。
モード２の動作説明期間は図の時間ｔ２からｔ３の期間であり、期間途中の時間ｔ２１で放電灯７のチョークコイル６側のフィラメントの放電物質が消耗したとする。
モード２では放電灯負荷回路Ｌ１００は、スイッチング素子２がＯＮの正の半サイクルの電流が大きく、スイッチング素子３がＯＮの負の半サイクルの電流が小さくなる。
放電灯負荷回路Ｌ１１０の電流は正負の半サイクルで正負等しいので、カップリングコンデンサ５の電流は、正の半サイクルが負の半サイクルより大きくなる。この電流のアンバランスによってカップリングコンデンサ５の電圧はＶ１／２より増大する。
モード２でのａの電位の（６）、（７）で示される。
【００３０】
スイッチング素子２がＯＮ、 ３がＯＦＦの場合は、
Ｖａ2 -2 ＝ Ｖ１−Ｖｃ５-2 ＝Ｖ１−（Ｖ１／２＋α１）＝ Ｖ１／２−α１
（６）
ただし、上記（６）式の記号は以下を示す。
Ｖａ２-2  ：スイッチング素子２がＯＮして場合のａ点の電圧
Ｖ１：直流電源１の電圧
Ｖc5-2：カップリングコンデンサの両端電圧
α１：カップリングコンデンサ５を流れるアンバランス電流によって生じた増大分             電圧
【００３１】
スイッチング素子２がＯＦＦ、 ３がＯＮの場合は、
Ｖａ3-2  ＝−Ｖｃ５-2 ＝−（Ｖ１／２＋α１）                     （７）
スイッチング素子２、３のＯＮ期間が等しいとすれば、ａ点の平均電圧は以下（８）式となる。
Ｖａａｖｅ−2 ＝（６）＋（７）＝ −２α１                         （８）
ただし、上記（８）式の記号は以下を示す。
Ｖａａｖｅ-2  ： ａ点の平均電圧
（８）式に示すように、モード２の状態ではａ点の平均電圧は負電圧となる。
±検出回路Ｄ１００のコンデンサ２３には負の電圧が得られる。即ち、モード２では、±検出回路Ｄ１００の出力は負電圧である。
【００３２】
ここで、信号変換回路ＣＶ１００のツェナーダイオード４４の電圧を（１）式を満足するように選定すれば、ＮＰＮトランジスタ４０のコレクタは高レベルとなり、ＮＰＮトランジスタ３３はＯＮ、続いてＰＮＰトランジスタ３４もＯＮになるので発振制御回路４の発振停止端子Ｓは低レベルになり発振動作が停止する。
発振制御回路４の発振動作が停止すればインバータ回路の発振動作も停止（時間ｔ２２）となり、放電灯７及び１１は消灯する。また、前述のようにこの状態は、電源１を遮断しＶccの供給が停止するまで継続する。
【００３３】
上記の説明では、放電灯７のチョークコイル６側のフィラメントの放電物質が消耗、放電灯１１が正常の場合について説明したが、放電灯７が正常、放電灯１１のチョークコイル１０側のフィラメントの放電物質が消耗、または、いずれの放電灯のチョークコイル側のフィラメントの放電物質が消耗した場合でも、上記（１）式を満足する負の電圧が得られることは明らかである。
【００３４】
以上の説明で明らかなようにモード２の動作状態では、放電灯の種類に依らず放電灯のチョークコイル側のフィラメントの放電物質の消耗などがある場合には、コンデンサ２３には上記（１）式を満足する負の電圧が得られ、保持回路Ｈ１００から低レベルを出力してインバータ回路の動作を停止し、放電灯が異常状態での運転を回避できる。
【００３５】
次に、図２において、放電灯７の直流電源１の負極側のフィラメントの放電物質が消耗状態、放電灯１１が正常であるモード３の動作について説明する。
モード３の動作期間は図の時間ｔ３からｔ４の期間であり、期間途中の時間ｔ３１で放電灯７の直流電源１の負極側のフィラメントの放電物質が消耗したとする。
この動作状態では、図２（ａ）のｔ３１からｔ３２（ｔ３２は後述のようにインバータ回路が停止する時間）に示すように、放電灯負荷回路Ｌ１００の正負の半サイクルにおける電流のアンバランスによりコンデンサ２３には正の電圧が得られる。
【００３６】
ここで、保持回路Ｈ１００のツェナーダイオード３６のツェナー電圧を上記（２）式を満足するように選定すれば、ＮＰＮトランジスタ３３はＯＮになり、続いてＰＮＰトランジスタ３４もＯＮになるので発振制御回路４の発振停止端子Ｓは低レベルになり発振動作が停止する。
発振制御回路４の発振動作が停止すればインバータ回路の発振動作も停止（時間ｔ３２）となり、放電灯７及び１１は消灯する。また、前述のようにこの状態は、電源１を遮断しＶｃｃの供給が停止するまで継続する。
【００３７】
上記の説明では、放電灯７の直流電源１の負極側のフィラメントの放電物質が消耗、放電灯１１が正常の場合について説明したが、放電灯７が正常、放電灯１１の直流電源１の負極側のフィラメントの放電物質が消耗、または、いずれの放電灯の直流電源１の負極側のフィラメントの放電物質が消耗した場合でも、コンデンサ２３には保持回路Ｈ１００のＮＰＮトランジスタ３３をＯＮ（続いてＰＮＰトランジスタ３４もＯＮ）可能な上記（２）式を満足する正の電圧が得られることは明らかである。
【００３８】
以上の説明で明らかなようにモード３の動作状態では、放電灯の種類に依らず放電灯の直流電源１の負極側のフィラメントの放電物質の消耗などがある場合には、コンデンサ２３には上記（２）式を満足する正の電圧が得られ、保持回路Ｈ１００から低レベルを出力してインバータ回路の動作を停止し、放電灯が異常状態での運転を回避できる。
【００３９】
以上のように、この発明の実施の形態１によれば、放電灯の種類によらず放電灯のフィラメントの放電物質が消耗した場合には上記（１）式又は（２）式を満足する電圧がコンデンサ２３に得られるので、インバータ回路は全ての放電灯が正常の場合にのみ発振動作が継続できる。
即ち、放電灯の定格電流が概略等しく、定格電圧（定格電力）の異なる複数の種類の放電灯を同一の点灯装置で点灯した場合でも、放電灯の種類によらず寿命末期等の異常状態を検出し、インバータ回路の動作を安全に停止できる。
そのため、放電灯の種類毎に信号変換回路ＣＶ１００及び保持回路Ｈ１００の回路定数を最適に選定する必要がなく点灯装置を生産するための部品の種類や在庫管理機種を低減することができる。
【００４０】
なお、上記説明では、放電灯が２灯の場合について説明したが、放電灯が１灯の場合は勿論、３灯以上の場合でも可能なことは明らかである。
また、±検出回路Ｄ１００、信号変換回路ＣＶ１００及び保持回路Ｈ１００は上記に記載の構成のものに限らず、同等の機能を持つ他の構成のものでも良いことは勿論である。
また、±検出回路Ｄ１００は、放電灯負荷回路Ｌ１００及びＬ１１０に対して共通に設置したが、カップリングコンデンサ及び±検出回路を各放電灯負荷回路に対応して複数個設け、その出力をダイオードを介してワイヤード  オア（ＷＩＲＥＤ  ＯＲ）接続して信号変換回路ＣＶ１００及び保持回路Ｈ１００へ出力しても良いことは明らかである。
【００４１】
なお、本実施の形態では図示してないが、抵抗の一端を直流電源１の正極に他端をカップリングコンデンサ５とチョークコイル６の接続点に接続し、装着した放電灯の直流電源１の負極側フィラメントが正常、チョークコイル側フィラメントが全て断線した場合には、直流電源１の正極から抵抗５７を介してコンデンサ２３に電流が流れてその電圧が上昇するので、保持回路Ｈ１００の作用によりインバータ回路の発振は停止するようにしてもよい。
【００４２】
実施の形態２．
図４は、この発明の実施の形態２の放電灯点灯装置の構成を示す回路図、図２の動作モード４の（ａ）〜（ｅ）は点灯装置の動作説明図である。
図において、実施の形態１と同一作用をする素子及び構成要素は同一符号を付して説明を省略する。
本実施の形態は、放電灯に流れる高周波電流を予め定められた予熱期間を設定するタイマーを有する予熱タイマ回路１７、放電灯の保護検出時に予熱タイマ回路のタイマ時間をリセットするリセット手段であるダイオード１８及び予熱タイマ期間中は放電灯の保護動作を無効にするスイッチ手段であるＮＰＮトランジスタ７１を付加したものである。
【００４３】
図４において、発振制御回路の発振周波数を設定するコンデンサ１６ａは実施の形態１を示す図１のコンデンサ１６より小さく選定される。
予熱タイマ回路１７は、発振制御回路４と同様にＶccを回路駆動電源とし、予熱タイマ期間終了後、コンデンサ１６ａに並列にコンデンサを接続し、コンデンサ１６ａとの合成容量値をコンデンサ１６と同一にする。
また、予熱タイマ回路のＰＨ端子は、ＮＰＮトランジスタ７１のベースに接続される。
ＮＰＮトランジスタ７１のエミッタは直流電源１の負極に、コレクタはＮＰＮトランジスタ３３のベースに接続される。
ダイオード１８のアノードが予熱タイマ回路１７のＲＳ端子にカソードはダイオード３１のカソードに接続される。
保持回路２００は保持回路Ｈ１００にダイオード１８を付加したものである。
また、予熱タイマ回路のＰＨ端子は、予熱期間中は高レベルを出力し、ＲＳ端子は、Ｌレベルにすることによりタイマ時間をリセットする機能を有するように構成する。
【００４４】
実施の形態２の動作を図４及び図２の動作モード４で説明する。
動作モード４の動作期間は図の時間ｔ４〜ｔ５の期間である。
図１において、直流電源１が投入されると、発振制御回路４によりスイッチング素子２及び３は交互に高周波で駆動される。
【００４５】
予熱タイマ回路の作用により、放電灯負荷回路は点灯時より高い周波数で駆動されるためその共振の鋭さが小さくなり、放電灯は点灯に至らずフィラメントが予熱される。
予熱タイマ回路のタイマ期間が終了すると、コンデンサ１６ａに並列にコンデンサが接続されるので、発振制御回路４の発振周波数は低くなり、放電灯負荷回路の共振の鋭さが大きくなり放電灯には点灯可能な大きな電圧が印加される。
この時、放電灯が全て正常であっても、発振周波数が予熱発振周波数から点灯周波数へ切り替る時間は短時間ではあるが有限の時間があり、その間、放電灯は正負の半サイクルでアンバランスな電流が流れる期間（図のｔ４１〜４２の期間）が存在し、±検出回路Ｄ１００の電圧が概略ゼロでない状態が発生するため保持回路Ｈ２００が動作し、発振制御回路４が停止する誤動作が起きる場合がある。
【００４６】
しかし、本実施の形態２によれば、この期間ＮＰＮトランジスタ７１はＯＮ状態なので、保持回路Ｈ２００は動作せず放電灯は正常点灯に至る。
また、予熱タイマ回路１７のタイマ期間が終了後（時間ｔ４３）は、ＰＨ端子が低レベルになり、ＮＰＮトランジスタ７１はＯＦＦとなるので±検出回路Ｄ１００及び信号変換回路ＣＶ１００の出力信号は有効になる。
また、正常点灯後放電灯が寿命末期等の理由で保持回路Ｈ２００が動作し、発振制御回路４の動作を停止・保持する場合には、予熱タイマ回路１７のリセット端子ＲＳも低レベルになりタイマ時間がリセットされるので、再始動の場合も設定した予熱タイマ期間動作させることができる。
【００４７】
以上のように、本実施の形態２によれば、予熱タイマと連動し予熱期間中は±検出回路Ｄ１００及び信号変換回路ＣＶ１００の出力を無効にするＮＰＮトランジスタ７１を設けているので、正常放電灯が予熱から始動動作期間中に一時的に発生する放電のアンバランスによる誤動作を防止できる。
また、保持回路Ｈ２００が作動した場合には、予熱タイマ回路１７のタイマ時間をリセットするので再始動の場合も設定した予熱タイマ期間動作させることができる。
【００４８】
実施の形態３．
図５は、この発明の実施の形態３の放電灯点灯装置の構成を示す回路図である。
図５において、実施の形態２を示す図４と同一作用をする素子及び構成要素には同一符号を付して説明を省略する。
本実施の形態は、実施の形態２において、全ての放電灯が放電灯点灯装置に未装着の場合にはインバータ回路の発振を停止し、少なくても１つ以上の放電灯が装着されている場合にインバータ回路の発振動作を可能する放電灯装着検出回路ＣＮ１００を追加したものである。
【００４９】
図５において、放電灯装着検出回路ＣＮ１００は、ダイオード４６のアノードを抵抗４８と４９の接続点に、カソードを放電灯７のフィラメントを介して直流電源１の負極に、ダイオード４７のアノードをダイオード４６のアノードに、カソードを放電灯１１のフィラメントを介して直流電源１の負極に接続する。
また、抵抗４８の他端はＶｃｃに抵抗４９の他端は抵抗５０を介して直流電源１の負極に接続する。
コンデンサ６２はダイオード４６のアノードと直流電源１の負極との間に接続する。
ＮＰＮトランジスタ５３のベースは抵抗４９、５０の接続点に、エミッタは直流電源１の負極に、コレクタはＰＮＰトランジスタ３４のエミッタに接続する。ＶｃｃとＮＰＮトランジスタ５３のベース間に抵抗５１とコンデンサ５２の直列回路を接続する。
【００５０】
また、抵抗４８、４９、５０の抵抗値と放電灯７、１１のフィラメント抵抗値の関係を次（１０）、（１１）及び（１２）式を満足するように設定する。
Ｖ１０＝（ Ｒｆ × Ｖｃｃ）／（Ｒｆ＋Ｒ４８）＋０．６             （１０）
（Ｒ５０ × Ｖ１０）／（Ｒ５０＋Ｒ４９）＜ ＜ＶＢＥ５３           （１１）
（Ｒ５０ × Ｖｃｃ）／（Ｒ５０＋Ｒ４９＋Ｒ４８）＞＞ＶＢＥ５３  （１２）
ただし、上式の記号は以下を示す。
Ｒｆ      ：  放電灯７、１１のフィラメント抵抗の最大値
Ｒ４８    ：  抵抗４８の抵抗値
Ｒ４９    ：  抵抗４９の抵抗値
Ｒ５０    ：  抵抗５０の抵抗値
ＶＢＥ５３    ：  ＮＰＮトランジスタ５３のベース・エミッタ間の閾値電圧
なお、（１０）式の０．６はダイオード４６、４７の順方向降下電圧の代表値を示したものである。
また、抵抗５７を直流電源１の正極と、カップリングコンデンサ５とチョークコイルの接続点との間に接続する。
【００５１】
次に、この発明の実施の形態３の動作を図５及び６により説明する。
まず、放電灯７及び１１のいずれも放電灯点灯装置に装着されているモードＡについて説明する。
直流電源１が投入されると図示を省略している回路によって制御回路駆動電圧Ｖｃｃが供給される。
Ｖｃｃが供給開始されると、ＮＰＮトランジスタ５３は、そのベースにＶｃｃから抵抗５１及びコンデンサ５２を介して電流が供給されるのでＯＮする（図６のt７１からt７２の期間）。
【００５２】
しかし、放電灯が接続されているので、上記（１１）を満足し、図６（ｂ）に示すようにＮＰＮトランジスタ５３はｔ７２でＯＦＦし、発振制御回路４はインバータ回路を駆動するため 放電灯は点灯可能となる。 インバータ回路の動作後は図６（ａ）に示すように、コンデンサ６２には直流電源１の負極を基準にして負の電圧（抵抗４８、４９の接続点の電位が負）が発生するので、ＮＰＮトランジスタ５３は以降ＯＦＦ状態となる。
【００５３】
次に図６のモードＢは、放電灯７が装着、放電灯１１が未装着の場合であるが、この場合も上記（１１）を満足するため上記モードＡの場合と同様に放電灯７は点灯可能となる。
また、モードＤの前半に示すように放電灯７が未装着、放電灯１１が装着されている場合も、モードBと同様に放電灯１１が点灯可能になることは明らかである。
【００５４】
次に、何れの放電灯も装着されていないモードＣの場合について説明する。
この場合には、上記（１２）式を満足するのでＮＰＮトランジスタ５３はＯＮ状態となり発振制御回路４のＳ端子をダイオード３１を介して低レベルにするので、インバータ回路は発振不能となる。
【００５５】
次に、放電灯７が未装着、放電灯１１が装着した状態で運転中に装着している放電灯１１を点灯装置から抜去した場合のモードＤについて説明する。
２灯の内、いずれかの放電灯が装着の場合には、インバータ回路が発振し放電灯が点灯するのは上述の通りである。
ここで、時間ｔ１０１で放電灯１１を抜去すれば、コンデンサ６２の電位（抵抗４８、４９の接続点の電位）は負電位から上昇し、時間ｔ１０２で上記（１２）式を満足するようになり、ＮＰＮトランジスタ５３はＯＦＦからＯＮになる。
このため、発振制御回路４のＳ端子をダイオード３１を介して低レベルにするので、インバータ回路は発振不能となる。
【００５６】
上記モードＡ、又は、モードＢの状態で放電灯がフィラメントの放電物質の消耗で寿命末期になれば、±検出回路Ｄ１００及び信号変換回路CV１００の作用で発振制御回路４の発振停止端子Ｓは低レベルになりその状態を継続することは実施の形態１、２と同様である。
実施の形態１、２では、この状態から脱するためには、直流電源１を遮断し、放電灯を正常品と交換した後、直流電源１を再投入する必要があるが、直流電源１が接続されている電源系統に放電灯点灯装置やその他の電気機器が接続されている場合は、この電源系統に接続されている全ての電気機器の電源が遮断される。
【００５７】
本実施の形態によれば、直流電源１を投入したままでも、不良の放電灯を含む全放電灯を放電灯点灯装置から抜去すればＮＰＮトランジスタ５３がＯＮになり、Ｖｃｃから抵抗３０を介してＰＮＰトランジスタ３４及びＮＰＮトランジスタ３３に継続して流れている電流がＯＮ状態になったＮＰＮトランジスタ５３に流れるのでＯＮ状態を維持できなくなり、ＰＮＰトランジスタ３４及びＮＰＮトランジスタ３３はいずれもＯＦＦとなる。
次に正常な放電灯７を装着すれば、ＮＰＮトランジスタ５３はＯＦＦとなりインバータ回路は再発振する。
【００５８】
また、装着した放電灯の直流電源１の負極側フィラメントが正常、チョークコイル側フィラメントが全て断線した場合には、直流電源１の正極から抵抗５７を介してコンデンサ２３に電流が流れてその電圧が上昇するので、保持回路Ｈ１００の作用によりインバータ回路の発振は停止する。
なお、抵抗５７はカップリングコンデンサ５に並列に接続しても良い。
【００５９】
以上のように、この発明の実施の形態３によれば、放電灯点灯装置に少なくても１つ以上の放電灯が装着されている場合にのみインバータ回路の発振が可能なので、放電灯が全て未装着な状態での不要な動作を防止することができる。
また、放電灯の不良を検出してインバータ回路の発振停止を継続保持している場合でも、直流電源１を遮断することなく、放電灯を抜去した後、正常放電灯を装着すればインバータ回路を再起動できるので、当該点灯装置と同一の電源系統に接続されている他の電気機器への動作の影響なく放電灯の保守交換ができる。
【００６０】
なお、放電灯装着検出回路ＣＮ１００は上記に記載の構成のものに限らず、同等の機能を持つ他の構成のものでも良いことは勿論である。
【００６１】
実施の形態４．
図７は、この発明の実施の形態４の放電灯点灯装置の構成を示す回路図である。
図７において、実施の形態３を示す図５と同一作用をする素子及び構成要素には同一符号を付して説明を省略する。
本実施の形態は、実施の形態３における放電灯装着検出回路ＣＮ１００に替えてインバータ回路の発振動作後に放電管のクラック等の理由で内部に空気が流入し放電不能になった場合にインバータ回路の発振を停止する機能を付加した回路である放電灯装着及び漏気検出回路ＣＮＤ２００としたものである。
【００６２】
図７において、ダイオード６１のアノードはダイオード４５のアノードに、カソードはダイオード４６のアノードに接続する。
【００６３】
次に、この発明の実施の形態４の動作を図２のモード５及び図７により説明する。
図２においてモード５は、時間ｔ５〜ｔ６の期間である。放電灯７は時間ｔ５１〜ｔ５３の期間は正常放電状態、時間ｔ５３で放電管にクラックが入り内部に空気が流入した状態（以降、漏気状態と呼ぶ）、放電灯１１は期間中、正常状態とする。
時間ｔ５１で直流電源が投入されれば、予熱タイマ期間（図のｔ５１〜ｔ５２）を経て放電灯７及び１１は正常放電する。
【００６４】
時間ｔ５３で放電灯７が漏気状態になれば、そのインピーダンスは正常時に比べ極めて大きくなり、放電灯負荷回路Ｌ１００の共振の鋭さも大きくなり、放電灯負荷回路Ｌ１００への流入電流は正常放電時の比べて増大する。
そのため、放電灯７のフィラメントでの電圧降下は増大し、ダイオード４６を介したコンデンサ６２への負の充電電圧も増大する。
【００６５】
ここで、信号変換回路ＣＶ１００のツェナーダイオード４４の電圧を、正常放電時にコンデンサ６２に得られる負の電圧ではＮＰＮトランジスタ４０がＯＮ（コレクタは低レベル）、漏気状態でコンデンサ６２に得られる電圧ではＯＦＦ（コレクタは高レベル）になるように適当に選定すれば、漏気状態では追加したダイオード６１の作用によってＮＰＮトランジスタ４０のベース電圧は閾値以下になる。
このため、ＮＰＮトランジスタ４０のコレクタは高レベルになり、保持回路Ｈ２００が動作しインバータ回路の発振は時間ｔ５４で停止・継続される。
【００６６】
以上のように本実施の形態４によれば、放電灯に空気が入り漏気状態になった場合には放電灯接続及び漏気検出回路ＣＮＤ２００の検出電圧で信号変換回路ＣＶ１００、保持回路Ｈ１００を動作させるので、放電灯が不点状態での不要な動作及び放電灯負荷回路に大きな共振電流が流れてインバータ回路が損傷するのを防止できる。
【００６７】
なお、本実施の形態では、放電灯に空気が入り漏気状態になった場合について示したが、放電灯にひびが入ってなくとも放電灯の寿命末期で両フィラメントの放電物質が消耗した両エミレス放電灯の場合も、漏気状態と同じ動作波形となるので、両エミレス放電灯の識別もすることができる。
【００６８】
実施の形態５．
図８は、この発明の実施の形態５の放電灯点灯装置の構成を示す回路図である。
図８において、実施の形態１を示す図１と同一作用をする素子及び構成要素には同一符号を付して説明を省略する。
本実施の形態は、実施の形態１における±検出回路Ｄ１００に替えて各放電灯に対応して±検出回路を設け、各±検出回路の正負の検出出力をダイオードを介してワイヤードオア（ＷＩＲＥＤ  ＯＲ）して、正の検出出力は保持回路Ｈ１００のツェナーダイオード３６のカソードに、負の検出出力は信号変換回路ＣＶ１００のツェナーダイオード４４のアノードに接続してなる±検出回路Ｄ２００を設けたものである。
【００６９】
図８において、抵抗８１、８２は直列に接続され抵抗８１の他端はチョークコイル６と放電灯７の接続点に、抵抗８２の他端は直流電源１の負極に接続される。コンデンサ８３は抵抗８２に並列に接続される。抵抗８４、８５は直列に接続され抵抗８４の他端はチョークコイル１０と放電灯１１の接続点に、抵抗８５の他端は直流電源１の負極に接続される。コンデンサ８６は抵抗８５に並列に接続される。ダイオード８７と８８のカソードは接続され、ダイオード８７のアノードは抵抗８１と８２の接続点に、ダイオード８８のアノードは抵抗８４と８５の接続点に接続される。
また、ダイオード８９と９０のアノードは接続され、ダイオード８９のカソードは抵抗８１と８２の接続点に、ダイオード９０のカソードは抵抗８４と８５の接続点に接続される。ダイオード８７、８８の接続点はツェナーダイオード３６のカソードに接続される。
ダイオード８９、９０の接続点はツェナーダイオード４４のアノードに接続される。
【００７０】
図８及び図９により実施の形態５の動作を説明する。
図において、モード６０は時間ｔ６０〜ｔ７０の期間で、放電灯７、１１とも正常な場合であり、直流電源１が投入されると放電灯７、１１は点灯する。
放電灯が正常放電の場合には、その正負の半サイクルで放電電圧は概略等しいので、各放電灯の両端電圧の積分回路の出力であるコンデンサ８３、８６の電圧は概略ゼロである。
従って、保持回路Ｈ１００が作動することなく、放電灯は点灯状態を継続する。
【００７１】
次に、モード７０はｔ７０〜ｔ８０の期間で、時間ｔ７０で直流電源１が投入された後、t７１でチョークコイル６側のフィラメントの放電物質が消耗し、放電灯１１が正常の場合である。
図において、時間ｔ７0で直流電源が投入されると、放電灯７、１１は正常点灯する。
時間ｔ７１で放電灯７のチョークコイル側のフィラメントの放電物質が消耗したとすると、放電物質が消耗した側に対応する放電の半サイクルで放電灯の電圧が正常放電時より増大する。
【００７２】
即ち、モ−ド７では負の半サイクルの放電電圧が増大する。
そのため、（ａ）のコンデンサ８３の電圧波形に示すように、時間ｔ７１から負の電圧が検出され、信号変換回路ＣＶ１００のＮＰＮトランジスタ４０のコレクタは高レベル、保持回路Ｈ１００のＰＮＰトランジスタ３４のエミッタが低レベル、発振制御回路４のＳ端子が低レベルになり、インバータ回路の発振は停止し、その状態を継続する。
発振が停止すれば、時間ｔ７２でコンデンサ８３、ＮＰＮトランジスタ４０のコレクタは低レベルになる。
【００７３】
上記の説明では、放電灯７のチョークコイル６側のフィラメントの放電物質が消耗、放電灯１１が正常の場合について説明したが、放電灯７が正常、放電灯１１のチョークコイル１０側のフィラメントの放電物質が消耗、または、いずれの放電灯のチョークコイル側のフィラメントの放電物質が消耗した場合でも、インバータ回路の発振を停止できることは明らかである。
【００７４】
次に、モ−ド８０はｔ８０〜ｔ９０の期間で、時間ｔ８０で直流電源１が投入された後、ｔ８１で直流電源１の負極側のフィラメントの放電物質が消耗し、放電灯１１が正常の場合である。
図において、時間ｔ８０で直流電源が投入されると、放電灯７、１１は正常点灯する。
時間ｔ８１で放電灯７の直流電源１の負極側のフィラメントの放電物質が消耗したとすると、モード７０の場合と同一の理由により、（ａ）のコンデンサ８３の電圧波形に示すように、時間ｔ８１から正の電圧が検出され、保持回路Ｈ１００のＰＮＰトランジスタ３４のエミッタが低レベル、発振制御回路４のＳ端子が低レベルになり、インバータ回路の発振は停止し、その状態を継続する。
発振が停止すれば、時間ｔ８２でコンデンサ８３、ＮＰＮトランジスタ４０のコレクタは低レベルになる。
【００７５】
上記の説明では、放電灯７の直流電源１の負極側のフィラメントの放電物質が消耗、放電灯１１が正常の場合について説明したが、放電灯７が正常、放電灯１１の直流電源１の負極側のフィラメントの放電物質が消耗、または、いずれの放電灯の直流電源１の負極側のフィラメントの放電物質が消耗した場合でも、インバータ回路の発振を停止できることは明らかである。
【００７６】
以上のように、この発明の実施の形態５によれば、放電灯の種類によらず全ての放電灯が正常の場合にのみ発振継続できる。
即ち、放電灯の定格電流が概略等しく、定格電圧（定格電力）の異なる複数の種類の放電灯を同一の点灯装置で点灯した場合でも、放電灯の種類によらず寿命末期等の異常状態を検出し、インバータ回路の動作を安全に停止できる。
そのため、放電灯の種類毎に信号変換回路ＣＶ１００及び保持回路Ｈ１００の回路定数を最適に選定する必要がなく点灯装置を生産するための部品の種類や在庫管理機種を低減することができる。
【００７７】
なお、上記説明では、放電灯が２灯の場合について説明したが、放電灯が１灯の場合は勿論、３灯以上の場合でも可能なことは明らかである。
また、±検出回路Ｄ２００、信号変換回路ＣＶ１００及び保持回路Ｈ１００は上記に記載の構成のものに限らず、同等の機能を持つ他の構成のものでも良いことは勿論である。
【図面の簡単な説明】
【００７８】
【図１】この発明の実施の形態１の構成を示す回路図である。
【図２】この発明の実施の形態１、２、４の動作を説明する波形図である。
【図３】本発明の実施の形態１〜４の電灯点灯装置の直流電源の構成を示す回路図である。
【図４】この発明の実施の形態２の構成を示す回路図である。
【図５】この発明の実施の形態３の構成を示す回路図である。
【図６】この発明の実施の形態３の動作を説明する波形図である。
【図７】この発明の実施の形態４の構成を示す回路図である。
【図８】この発明の実施の形態５の構成を示す回路図である。
【図９】この発明の実施の形態５の動作を説明する波形図である。
【符号の説明】
【００７９】
１  直流電源、２、３  ＳＷ素子、５  カップリングコンデンサ、６、１０  チョークコイル、７、１１  放電灯、１７  予熱タイマ回路、１８  ダイオード、４６、４７  ダイオード、５７  抵抗  ６１  ダイオード、６２  コンデンサ、７１  ＮＰＮトランジスタ、Ｌ１００、Ｌ１１０  放電灯負荷回路、Ｖｃｃ  制御回路駆動電圧、Ｄ１００  ±検出回路、Ｈ１００、Ｈ２００  保持回路、ＣＶ１００  信号変換回路、ＣＮ１００  放電灯接続及び漏気検出回路、ＣＮＤ２００  放電灯接続及び漏気検出回路、Ｖｃｃ  制御回路駆動電圧。
【図１】
2005259607.tif 000003
【図２】
2005259607.tif 000004
【図３】
2005259607.tif 000005
【図４】
2005259607.tif 000006
【図５】
2005259607.tif 000007
【図６】
2005259607.tif 000008
【図７】
2005259607.tif 000009
【図８】
2005259607.tif 000010
【図９】
2005259607.tif 000011